【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
遊技盤の遊技領域に遊技媒体を発射することにより遊技を行う遊技機であって、
前記遊技盤は、
透光性を有する合成樹脂板からなる盤面板と、
所定の厚み幅寸法を有し、前記盤面板を取り付ける取付面が設けられたスペーサ部材と、
前記スペーサ部材の取付面に突設され、前記盤面板の厚み幅寸法よりも長寸の凸部と、
前記盤面板における前記凸部に対応する位置に形成され、前記取付面に取り付けられたときに前記凸部が挿通される貫通穴と、
前記取付面の裏面における前記凸部に対応する位置に形成され、前記凸部が嵌合可能な大きさを有する凹部と、
を備え、
前記遊技盤の後面側に、該遊技盤を透して遊技者に視認される装飾ユニットが設けられている
ことを特徴とする遊技機。
【請求項２】
遊技盤の遊技領域に遊技媒体を発射することにより遊技を行う遊技機であって、
前記遊技盤は、
透光性を有する合成樹脂板からなる盤面板と、
所定の厚み幅寸法を有し、前記盤面板を取り付ける取付面が設けられたスペーサ部材と、
前記盤面板の表面上に配設され、前記遊技領域と非遊技領域とを区画するレール部材と、
前記レール部材から前記盤面板の反対側に向けて突設される凸部と、
前記取付面の裏面における前記凸部に対応する位置に形成され、前記凸部が嵌合可能な大きさを有する凹部と、
を備え、
前記遊技盤の後面側に、該遊技盤を透して遊技者に視認される装飾ユニットが設けられている
ことを特徴とする遊技機。
【手続補正２】
【補正対象書類名】明細書
【補正対象項目名】０００１
【補正方法】変更
【補正の内容】
【０００１】
本発明は、遊技盤の遊技領域に遊技媒体を発射することにより遊技を行う遊技機に関する。
【手続補正３】
【補正対象書類名】明細書
【補正対象項目名】０００２
【補正方法】変更
【補正の内容】
【０００２】
遊技機の一例であるパチンコ遊技機は、障害釘等が配設される遊技領域が前面に形成された遊技盤を備えている。近年においては、この遊技盤を透明なアクリル樹脂材等からなる透明板にて構成するとともに、その裏面側に立体状の装飾部材や演出用可変表示装置等を配設し、該透明板を通して装飾部材や演出用可変表示装置を視認可能とするものが多数提案されている（例えば、特許文献１参照）。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
【特許文献１】特開２０１０−１７３５８号公報（第７図）
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】変更
【補正の内容】
【０００７】
本発明は、透光性の盤面板を有する遊技盤を上下方向に積み重ねることができる遊技機を提供することを目的とする。
【手続補正９】
【補正対象書類名】明細書
【補正対象項目名】０００８
【補正方法】変更
【補正の内容】
【０００８】
前記課題を解決するために、本発明の請求項１に記載の遊技機は、
遊技盤の遊技領域に遊技媒体を発射することにより遊技を行う遊技機であって、
前記遊技盤は、
透光性を有する合成樹脂板からなる盤面板と、
所定の厚み幅寸法を有し、前記盤面板を取り付ける取付面が設けられたスペーサ部材と、
前記スペーサ部材の取付面に突設され、前記盤面板の厚み幅寸法よりも長寸の凸部と、
前記盤面板における前記凸部に対応する位置に形成され、前記取付面に取り付けられたときに前記凸部が挿通される貫通穴と、
前記取付面の裏面における前記凸部に対応する位置に形成され、前記凸部が嵌合可能な大きさを有する凹部と、
を備え、
前記遊技盤の後面側に、該遊技盤を透して遊技者に視認される装飾ユニットが設けられている
ことを特徴としている。
この特徴によれば、複数の遊技盤を安定して積み重ねることができる。
本発明の請求項２に記載の遊技機は、
遊技盤の遊技領域に遊技媒体を発射することにより遊技を行う遊技機であって、
前記遊技盤は、
透光性を有する合成樹脂板からなる盤面板と、
所定の厚み幅寸法を有し、前記盤面板を取り付ける取付面が設けられたスペーサ部材と、
前記盤面板の表面上に配設され、前記遊技領域と非遊技領域とを区画するレール部材と、
前記レール部材から前記盤面板の反対側に向けて突設される凸部と、
前記取付面の裏面における前記凸部に対応する位置に形成され、前記凸部が嵌合可能な大きさを有する凹部と、
を備え、
前記遊技盤の後面側に、該遊技盤を透して遊技者に視認される装飾ユニットが設けられている
ことを特徴としている。
この特徴によれば、複数の遊技盤を安定して積み重ねることができる。
また、本発明の手段１の遊技機は、
所定の遊技が行われる遊技機（パチンコ遊技機１）であって、
透光性を有する合成樹脂板（盤面板２００）からなり、複数の電子部品（センター役物モータ１７Ｈ、ゲートスイッチ３２ａ）を含む遊技用構造物（センター役物６５Ｈ、ゲート３２の本体部３２ｂ）が設けられる遊技盤（６）と、
前記複数の電子部品に接続され、前記遊技盤の後面側から延出される複数の配線（Ｋ１，Ｋ２）と、
前記遊技盤の後面側にそれぞれ別個に取り付けられ、該遊技盤を透して遊技者に視認される複数の装飾ユニット（３０１ａ〜３０１ｃ）と、を備え、
前記複数の装飾ユニットは、前記複数の配線が挿通されて該装飾ユニット後面に引き出すための挿通孔（配線挿通孔３０７、３２０）が設けられた複数の挿通孔付装飾ユニット（装飾ユニット３０１ａ〜３０１ｃ）を含み、
前記挿通孔は、前記複数の挿通孔付装飾ユニットそれぞれに１つずつ形成されている（図３３参照）
ことを特徴としている。
この特徴によれば、複数の配線を挿通する挿通孔が各挿通孔付装飾ユニットに１つずつ独立して存在するように複数の装飾ユニットを構成するとともに、各装飾ユニットを遊技盤に別個に取り付けできるようにしたことで、１つの挿通孔付装飾ユニットを遊技盤に取り付ける際に配線を１つの挿通孔に１回挿通させるだけでよいので、装飾ユニットの遊技盤への取付作業を該装飾ユニットにより遊技盤を傷つけることなく容易に行うことができる。
なお、前記複数の配線それぞれは、各々が１本の配線から構成されるものや、複数本の配線が収束されてなるものを含む。
【手続補正１０】
【補正対象書類名】明細書
【補正対象項目名】０００９
【補正方法】変更
【補正の内容】
【０００９】
本発明の手段２の遊技機は、手段１に記載の遊技機であって、
前記挿通孔付装飾ユニット（装飾ユニット３０１ａ／３０１ｂ，３０１ｃ）は、前後方向の厚み幅寸法が第１幅寸法（装飾ユニット３０１ａはＬ１１／装飾ユニット３０１ｂ，３０１ｃはＬ１３）である第１装飾部（装飾ユニット３０１ａは非重畳領域／装飾ユニット３０１ｂ，３０１ｃは凹部３２１以外の厚肉部）と、前後方向の厚み幅寸法が前記第１幅寸法よりも短い第２幅寸法（装飾ユニット３０１ａはＬ１０／装飾ユニット３０１ｂ，３０１ｃはＬ１２）である第２装飾部（装飾ユニット３０１ａは上凹部３０６と上裏凹部３０８とが前後方向に重畳する重畳領域／装飾ユニット３０１ｂ，３０１ｃは凹部３２１に対応する薄肉部）と、を備え、
前記挿通孔は、前記第２装飾部に形成されている（図３５（ｂ）（ｃ）参照）
ことを特徴としている。
この特徴によれば、挿通孔を第１装飾部に形成する場合に比べて挿通孔の深さ寸法が短くなることで、後面側から配線を取り出しやすくなるため、配線作業が容易になる。
【手続補正１１】
【補正対象書類名】明細書
【補正対象項目名】００１０
【補正方法】変更
【補正の内容】
【００１０】
本発明の手段３の遊技機は、手段１または２に記載の遊技機であって、
前記装飾ユニット（３０１ａ〜３０１ｃ）は、前記遊技盤に対し所定幅寸法の隙間を隔てて設けられ（図４０（ｃ）参照）、
前記遊技盤の後面（センター枠飾り１１の後端面）または前記装飾ユニットの前面のうち少なくとも一方に、所定長さを有する隙間用突起（位置決め用ボス３２２ａ〜３２２ｄ）が設けられている
ことを特徴としている。
この特徴によれば、遊技盤と装飾ユニットとの間に所定幅寸法の隙間が形成されることで、例えば遊技盤および装飾ユニットの運搬時、積層時、取付時あるいは使用時において生じる振動等により双方が擦れて傷がつくことが防止される。また、遊技盤の後面と装飾ユニットの前面との間に所定幅寸法の隙間を簡単に確保することができるばかりか、遊技盤に対して装飾ユニットを取り付ける際に遊技盤と装飾ユニットとが接触して傷がつくことが防止される。
【手続補正１２】
【補正対象書類名】明細書
【補正対象項目名】００１１
【補正方法】変更
【補正の内容】
【００１１】
本発明の手段４の遊技機は、手段１〜３のいずれかに記載の遊技機であって、
前記遊技盤（６）は、
前記合成樹脂板（盤面板２００）と、
所定の厚み幅寸法を有し、前記合成樹脂板を取り付ける取付面が設けられたスペーサ部材（２５０）と、から構成され、
前記スペーサ部材に対する前記装飾ユニットの取付位置を決定するための位置決め突起および該位置決め突起（位置決め用ボス３１２ａ〜３１２ｄ）が挿入可能な位置決め穴（位置決め穴２６５ａ〜２６５ｄ）を備え、
前記位置決め突起および前記位置決め穴のうち一方（位置決め用ボス３１２ａ〜３１２ｄ）が前記装飾ユニット（３０１ａ）に設けられ、他方（位置決め穴２６５ａ〜２６５ｄ）が前記スペーサ部材（２５０）に設けられている（図３９参照）、
ことを特徴としている。
この特徴によれば、位置決め突起を位置決め穴に挿入して位置決めした状態で装飾ユニットをスペーサ部材に取り付けることができるため、取り付け時において位置ずれにより合成樹脂板を傷つけることが防止される。
【手続補正１３】
【補正対象書類名】明細書
【補正対象項目名】００１２
【補正方法】変更
【補正の内容】
【００１２】
本発明の手段５の遊技機は、手段１〜４のいずれかに記載の遊技機であって、
前記複数の装飾ユニット（３０１ａ〜３０１ｃ）は、第１装飾ユニット（３０１ｂ，３０１ｃ）と該第１装飾ユニットが前記遊技盤に取り付けられた後に該第１装飾ユニットに隣接して配置される第２装飾ユニット（３０１ａ）とを含み、
前記第１装飾ユニットに対する前記第２装飾ユニットの取付位置を決定するための位置決め部（ガイド溝３２７ａ，３２７ｂ）および該位置決め部に位置決めされる被位置決め部（ガイド突起３０５ａ，３０５ｂ）を備え、
前記位置決め部は前記第１装飾ユニットに設けられ、前記被位置決め部は前記第２装飾ユニットに設けられている
ことを特徴としている。
この特徴によれば、遊技盤に取り付けられた状態において、第１装飾ユニットと第２装飾ユニットとの相対位置にずれが生じにくくなるため、第１装飾ユニットと第２装飾ユニットとの間の隙間が目立つことが防止される。
【手続補正１４】
【補正対象書類名】明細書
【補正対象項目名】００１３
【補正方法】変更
【補正の内容】
【００１３】
本発明の手段６の遊技機は、手段１〜５のいずれかに記載の遊技機であって、
前記遊技盤は、
前記合成樹脂板（盤面板２００）と、
所定の厚み幅寸法（Ｐ１＝約１ｃｍ）を有し、前記合成樹脂板（盤面板２００）を取り付ける取付面（スペーサ部材２５０の前面２５０ａ）が設けられたスペーサ部材（２５０）と、から構成され、
前記スペーサ部材の取付面に突設され、前記合成樹脂板の厚み幅寸法（Ｐ１）よりも長寸（Ｐ３）の凸部（取付用ボス２６０ｃ，２６０ｆ）と、
前記合成樹脂板における前記凸部に対応する位置に形成され、前記取付面に取り付けられたときに前記凸部が挿通される貫通穴（挿通穴２０７ｃ，２０７ｆ）と、
前記取付面の裏面（スペーサ部材２５０の背面２５０ｂ）における前記凸部に対応する位置に形成され、前記凸部が嵌合可能な大きさ（内径）を有する凹部（嵌合凹部２６４ｃ，２６４ｆ）と、
を備える｛取付用ボス２６０ｃ，２６０ｆの外径Ｌ６よりも嵌合凹部２６４ｃ，２６４ｆの内径Ｌ７の方が大きい（図９参照）｝
ことを特徴としている。
この特徴によれば、一の遊技盤の合成樹脂板の表面と他の遊技盤の取付面の裏面とが対向するように複数の遊技盤を積み重ねたときに、下方の遊技盤の合成樹脂板の表面から突出した凸部が上方の遊技盤の凹部に嵌合されることで、下方の遊技盤に対する上方の遊技盤の横滑りが規制されて滑落が防止されるため、複数の遊技盤を安定して積み重ねることができる。
また、スペーサ部材の取付面に合成樹脂板を取り付けたときに、上方の遊技盤の横滑りを規制する凸部が貫通穴に挿通されて取付面に対する合成樹脂板の取付位置が決定されるため、取付面に対する合成樹脂板の位置ずれを防止できる。
尚、前記凹部は、前記スペーサ部材の裏面を凹設することにより形成されるものであってもよいし、前記スペーサ部材に形成した穴部と前記合成樹脂板の裏面とにより形成されるものであってもよい。
【手続補正１５】
【補正対象書類名】明細書
【補正対象項目名】００１４
【補正方法】変更
【補正の内容】
【００１４】
本発明の手段７の遊技機は、手段６に記載の遊技機であって、
前記凸部（取付用ボス２６０ｃ，２６０ｆ）は、前記取付面（スペーサ部材２５０の前面２５０ａ）に複数設けられ、
前記凹部（嵌合凹部２６４ｃ，２６４ｆ）は、前記取付面の裏面（スペーサ部材２５０の背面２５０ｂ）における複数の前記凸部それぞれに対応する位置に設けられている（図９参照）
ことを特徴としている。
この特徴によれば、複数の遊技盤を積み重ねたときに複数箇所で凸部が凹部に嵌合することにより、下方の遊技盤に対する上方の遊技盤の水平回転が規制されて下方の遊技盤に対する上方の遊技盤の向きが決定されるため、複数の遊技盤を積み重ねる際の安定性が向上するばかりか、積み重ねられた遊技盤に何らかの衝撃が加わった場合にその衝撃が複数の凸部及び凹部に分散されるため、凸部や凹部の損傷が防止される。
【手続補正１６】
【補正対象書類名】明細書
【補正対象項目名】００１５
【補正方法】変更
【補正の内容】
【００１５】
本発明の手段８の遊技機は、手段６または手段７に記載の遊技機であって、
前記凸部（取付用ボス２６０ｃ，２６０ｆ）及び前記凹部（嵌合凹部２６４ｃ，２６４ｆ）は横断面非円形状（多角形状、楕円形状等）に形成されている
ことを特徴としている。
この特徴によれば、複数の遊技盤を積み重ねたときに横断面非円形状の凸部が凹部に嵌合することにより、下方の遊技盤に対する上方の遊技盤の水平回転が規制されて下方の遊技盤に対する上方の遊技盤の向きが決定されるため、複数の遊技盤を積み重ねる際の安定性が向上する。
【手続補正１７】
【補正対象書類名】明細書
【補正対象項目名】００１６
【補正方法】変更
【補正の内容】
【００１６】
本発明の手段９の遊技機は、手段６〜手段８のいずれかに記載の遊技機であって、
前記凸部（取付用ボス２６０ｃ，２６０ｆ）における前記合成樹脂板の表面（遊技盤面２００ａ）からの突出長さ寸法（Ｐ４）を、前記凹部の深さ寸法（Ｐ５）よりも長寸（Ｐ４＞Ｐ５）とした（図９中拡大図参照）
ことを特徴としている。
この特徴によれば、凸部が凹部に嵌合したときに、下方の遊技盤の合成樹脂板の表面と上方の遊技盤の取付面の裏面との間に隙間が形成されるため、合成樹脂板の表面の損傷や破損が防止される。
【手続補正１８】
【補正対象書類名】明細書
【補正対象項目名】００１７
【補正方法】変更
【補正の内容】
【００１７】
本発明の手段１０の遊技機は、手段６〜手段９のいずれかに記載の遊技機であって、
前記スペーサ部材は、前記取付面の周縁所定箇所に係止部が突設され、
前記スペーサ部材（２５０）は、前記取付面（スペーサ部材２５０の前面２５０ａ）の周縁（側辺）所定箇所に係止部（弾性係止爪２７０ａ〜２７０ｄ）が突設され、
前記合成樹脂板（盤面板２００）は、前記係止部に対応する側面に前記係止部が係止される被係止部（係止段部２２０ａ〜２２０ｄ）が形成され、
前記係止部の突出長さ寸法（Ｐ１０）を、前記合成樹脂板の厚み幅寸法（Ｐ１）よりも短寸（Ｐ１０＜Ｐ１）とした（図１０参照）
ことを特徴としている。
この特徴によれば、取付面に合成樹脂板を配置することにより係止部が被係止部に係止されて合成樹脂板の取付面からの離脱が防止されるため、合成樹脂板を取付面に簡単に取り付けることができる。また、係止部は合成樹脂板の表面に形成される遊技領域に影響が及ばない合成樹脂板の側面に係止されるばかりか、係止状態において係止部の先端が合成樹脂板の表面から突出することがないので、複数の遊技盤を積み重ねたときに係止部が上方の遊技盤に接触して破損することが防止される。
【手続補正１９】
【補正対象書類名】明細書
【補正対象項目名】００１８
【補正方法】変更
【補正の内容】
【００１８】
本発明の手段１１の遊技機は、手段１〜手段１０のいずれかに記載の遊技機であって、
前記遊技盤は、
前記合成樹脂板（盤面板２００）と、
所定の厚み幅寸法（Ｐ１＝約１ｃｍ）を有し、前記合成樹脂板を取り付ける取付面（スペーサ部材２５０の前面２５０ａ）が設けられたスペーサ部材（２５０）と、から構成され、
前記合成樹脂板の表面（遊技盤面２００ａ）上に配設され、前記遊技領域（７）と非遊技領域（遊技領域７の周囲）とを区画するレール部材（外レール飾り６００ａ〜６００ｃ，外レール５００ａ）と、
前記レール部材から前記合成樹脂板の反対側に向けて突設される凸部（前端部６０４）と、
前記取付面の裏面（スペーサ部材２５０の背面２５０ｂ）における前記凸部に対応する位置に形成され、前記凸部が嵌合可能な大きさを有する凹部（略Ｃ字形の係合段部２６７）と、
を備える（図１４参照）
ことを特徴としている。
この特徴によれば、一の遊技盤の合成樹脂板の表面と他の遊技盤の取付面の裏面とが対向するように、合成樹脂板の表面上にレール部材が配設された複数の遊技盤を積み重ねたときに、下方の遊技盤のレール部材から突出した凸部が上方の遊技盤の凹部に嵌合されることで、下方の遊技盤に対する上方の遊技盤の横滑りが規制されて滑落が防止されるため、複数の遊技盤を安定して積み重ねることができる。
尚、前記凹部は、前記スペーサ部材の裏面を凹設することにより形成されるものであってもよいし、前記スペーサ部材に形成した穴部と前記合成樹脂板の裏面とにより形成されるものであってもよい。
【手続補正２０】
【補正対象書類名】明細書
【補正対象項目名】００１９
【補正方法】変更
【補正の内容】
【００１９】
本発明の手段１２の遊技機は、手段１１に記載の遊技機であって、
前記レール部材（外レール飾り６００ａ〜６００ｃ）から前記合成樹脂板（２００）に向けて突設され、該レール部材を前記合成樹脂板の表面（遊技盤面２００ａ）上に固定するための固定突部（位置決めピン６６０）と、
前記合成樹脂板の表面に形成され、前記固定突部が嵌合する固定嵌合部（位置決め穴２０９）と、を備え、
前記固定突部を前記固定嵌合部に嵌合した状態において、前記レール部材における前記合成樹脂板の表面側の縁辺部（Ｈ）と該合成樹脂板の表面との間に隙間が形成される｛外レール飾り６００ａの内壁６０３ａの縁辺部Ｈに切欠凹溝ＫＭを形成して隙間を形成する。（図１４参照）｝
ことを特徴としている。
この特徴によれば、複数の遊技盤を積み重ねたときに下方の遊技盤のレール部材が上方の遊技盤のスペーサ部材に接触したとしても、レール部材の合成樹脂板の表面側の縁辺部と合成樹脂板の表面とが擦れて削れた粉が合成樹脂板の表面に付着して汚れることがない。
【手続補正２１】
【補正対象書類名】明細書
【補正対象項目名】００２０
【補正方法】変更
【補正の内容】
【００２０】
本発明の手段１３の遊技機は、手段１１または手段１２に記載の遊技機であって、
前記取付面（スペーサ部材２５０の前面２５０ａ）に突設され、前記レール部材（外レール飾り６００ａ〜６００ｃ）の取付部を取り付けるための被取付部（取付用ボス２６０ａ，２６０ｃのネジ穴２０６ｋ）と、
前記合成樹脂板における前記被取付部に対応する位置に形成され、該合成樹脂板が前記取付面に取り付けられたときに前記被取付部が挿通される貫通穴（２０７ｃ，２０７ｆ）と、
を備え、
前記貫通穴に挿通された前記被取付部に前記レール部材の取付部を取り付けた状態において、該レール部材における前記合成樹脂板の表面側の縁辺部と該合成樹脂板の表面との間に隙間が形成される｛外レール飾り６００ａの内壁６０３ａの縁辺部に切欠凹溝ＫＭを形成して隙間を形成する（図１４参照）、外レール飾り６００ａの外壁６０３ｂの縁辺部Ｈを遊技盤面２００ａから離間させて隙間を形成する（図１４参照）｝
ことを特徴としている。
この特徴によれば、複数の遊技盤を積み重ねたときにレール部材にかかる上方の遊技盤の荷重がスペーサ部材にて受支されて合成樹脂板にかかる負荷が軽減されるため、合成樹脂板の破損や損傷が防止されるばかりか、レール部材の合成樹脂板の表面側の縁辺部と合成樹脂板の表面とが擦れて、削れた粉が合成樹脂板の表面に付着して汚れることがない。
【手続補正２２】
【補正対象書類名】明細書
【補正対象項目名】００２１
【補正方法】変更
【補正の内容】
【００２１】
本発明の手段１４の遊技機は、手段１１〜手段１３のいずれかに記載の遊技機であって、
前記遊技領域（７）に設けられ、前記レール部材（外レール飾り６００ａ〜６００ｃ）における前記凸部（前端部６０４）までの高さ寸法（Ｐ１５）よりも長寸の高さ寸法（Ｐ２０）を有する障害釘（Ｋ）と、
前記スペーサ部材（２５０）における前記遊技領域に対応する箇所に形成される開口部（２５１）と、
前記取付面（スペーサ部材２５０の前面２５０ａ）に前記合成樹脂板（２００）を取り付けたときに該合成樹脂板の裏面（スペーサ部材２５０の背面２５０ｂ）と前記開口部とにより形成され、前記障害釘を収容可能な大きさを有する逃げ部（凹状の収容空間部）と、
を備え、
前記レール部材の高さ寸法（Ｐ１５）と前記逃げ部の深さ寸法（Ｐ２２）との合算寸法（Ｐ１５＋Ｐ２２）を、前記障害釘の高さ寸法（Ｐ２０）よりも長寸（Ｐ１５＋Ｐ２２＞Ｐ２０）とした（図１４参照）
ことを特徴としている。
この特徴によれば、遊技領域に障害釘を配設した状態で複数の遊技盤を積み重ねたときに、下方の遊技盤の障害釘が上方の遊技盤のスペーサ部材に形成された逃げ部に入り込むことにより障害釘とスペーサ部材との干渉が回避されるため、障害釘が屈曲するなどして遊技媒体の流下に支障をきたす虞がない。
【手続補正２３】
【補正対象書類名】明細書
【補正対象項目名】００２２
【補正方法】変更
【補正の内容】
【００２２】
本発明の手段１５の遊技機は、手段１１〜手段１４のいずれかに記載の遊技機であって、
前記凸部（前端部６０４）における前記レール部材（外レール飾り６００ａ〜６００ｃ）からの突出長さ寸法（Ｐ１６）を、前記凹部（係合段部２６７）の深さ寸法（Ｐ１７）よりも長寸（Ｐ１６＞Ｐ１７）とした（図１４参照）
ことを特徴としている。
この特徴によれば、凸部が凹部に嵌合したときに、下方の遊技盤の合成樹脂板の表面と上方の遊技盤の取付面の裏面との間に隙間が形成されるため、合成樹脂板の表面の損傷や破損が防止される。
【手続補正２４】
【補正対象書類名】明細書
【補正対象項目名】００２３
【補正方法】変更
【補正の内容】
【００２３】
本発明の手段１６の遊技機は、手段１〜手段１５のいずれかに記載の遊技機であって、
前記遊技盤は、
前記合成樹脂板（盤面板２００）と、
所定の厚み幅寸法（Ｐ２）を有し、前記合成樹脂板を取り付ける第１取付部（弾性係止爪２７０ａ〜２７０ｄ）が設けられたスペーサ部材（２５０）と、
透光性を有し（透明なアクリル樹脂板）、前記合成樹脂板の後面（背面）側に配設される導光板（導光板ユニット７００、導光板７０１）と、
前記導光板の端面（周端面７０１Ｅ，開口端面７０１Ｎ）に光を入射可能に設けられる端面用発光体（第１導光板ＬＥＤ６０ａ〜６０ｔ、第２導光板ＬＥＤ６１ａ〜６１ｆ、センター枠飾りＬＥＤ６２ａ〜６２ｄ）と、を備え、
前記導光板は、該導光板の端面から内部に入射された前記端面用発光体からの光を反射して前面から出射させる反射部（ＭＡ１〜２０、ＭＢ１〜６、ＭＣ１〜４）を有し、
前記スペーサ部材に、前記導光板を取り付ける第２取付部（位置決め用切欠部２７１ａ、２７１ｂと合成樹脂板２００の背面２００ｂとにより形成される位置決め穴、弾性係合爪２７２ａ、２７２ｂ）が設けられている
ことを特徴としている。
この特徴によれば、合成樹脂板とは別個に設けた導光板により遊技領域を後面側から光により装飾できるとともに、導光板を取り付ける第２取付部が合成樹脂板ではなくスペーサ部材に設けられていることで、導光板を合成樹脂板にネジや接着剤等により直接取り付ける場合に比べて、合成樹脂板に対する導光板の取り付け位置の決定や取り付け作業が容易になる。
【手続補正２５】
【補正対象書類名】明細書
【補正対象項目名】００２４
【補正方法】変更
【補正の内容】
【００２４】
本発明の手段１７の遊技機は、手段１６に記載の遊技機であって、
前記導光板（導光板ユニット７００、導光板７０１）の周縁に沿って設けられる取付部材（取付枠７０２）を備え、
前記導光板は、前記取付部材を介して前記第２取付部（位置決め用切欠部２７１ａ、２７１ｂと合成樹脂板２００の背面２００ｂとにより形成される位置決め穴、弾性係合爪２７２ａ、２７２ｂ）に取り付けられる
ことを特徴としている。
この特徴によれば、導光板の周縁を合成樹脂板に直接接触させることなく取り付けできるため、合成樹脂板を傷つける危険性が低下する。
【手続補正２６】
【補正対象書類名】明細書
【補正対象項目名】００２５
【補正方法】変更
【補正の内容】
【００２５】
本発明の手段１８の遊技機は、手段１７に記載の遊技機であって、
前記スペーサ部材（２５０）に対する前記導光板（導光板ユニット７００、導光板７０１）の取付位置を決定するための位置決め突起（位置決め突片７２４ａ、７２４ｂ）および該位置決め突起が挿入可能な位置決め穴（位置決め用切欠部２７１ａ、２７１ｂと合成樹脂板２００の背面２００ｂとにより形成される位置決め穴）を備え、
前記位置決め突起および前記位置決め穴のうち一方（位置決め突片７２４ａ、７２４ｂ）が前記取付部材（取付枠７０２）に設けられ、他方（位置決め用切欠部２７１ａ、２７１ｂと合成樹脂板２００の背面２００ｂとにより形成される位置決め穴）が前記スペーサ部材に設けられている（図１６参照）
ことを特徴としている。
この特徴によれば、位置決め突起を位置決め穴に挿入して位置決めした状態で取付部材をスペーサ部材に取り付けることができるため、取り付け時において位置ずれにより合成樹脂板を傷つけることが防止される。
【手続補正２７】
【補正対象書類名】明細書
【補正対象項目名】００２６
【補正方法】変更
【補正の内容】
【００２６】
本発明の手段１９の遊技機は、手段１７または手段１８に記載の遊技機であって、
前記端面用発光体（第１導光板ＬＥＤ６０ａ〜６０ｔ、第２導光板ＬＥＤ６１ａ〜６１ｆ、センター枠飾りＬＥＤ６２ａ〜６２ｄ）は、前記取付部材（取付枠７０２）に設けられている
ことを特徴としている。
この特徴によれば、導光板に対して端面用発光体が一体化されることで、スペーサ部材に対する導光板の取付位置にずれが生じても、導光板の端面に対する端面用発光体からの光の入射位置にずれが生じて発光態様に支障をきたすことがないばかりか、導光板をスペーサ部材に取り付けた後に該導光板に対する端面用発光体の位置合わせが不要となるため、スペーサ部材に対する導光板や端面用発光体の取り付け作業が容易になる。
【手続補正２８】
【補正対象書類名】明細書
【補正対象項目名】００２７
【補正方法】変更
【補正の内容】
【００２７】
本発明の手段２０の遊技機は、手段１７〜手段１９のいずれかに記載の遊技機であって、
前記反射部（ＭＡ１〜２０、ＭＢ１〜６、ＭＣ１〜４）は、前記導光板（導光板ユニット７００、導光板７０１）の後面（背面７０１Ｂ）に設けられ、
前記端面用発光体（第１導光板ＬＥＤ６０ａ〜６０ｔ、第２導光板ＬＥＤ６１ａ〜６１ｆ、センター枠飾りＬＥＤ６２ａ〜６２ｄ）は、前記導光板の後面寄り（周端面７０１Ｅ，開口端面７０１Ｎにおける板厚方向の中央位置よりも背面側）に配置されている（図２９〜３１参照）
ことを特徴としている。
この特徴によれば、端面用発光体を導光板の後面寄り、つまり合成樹脂板の反対側に配設することで、導光板を端面用発光体に邪魔されることなく合成樹脂板に極力近づけて配置することができるため、遊技盤の厚み幅寸法を肉薄とすることができる。
【手続補正２９】
【補正対象書類名】明細書
【補正対象項目名】００２８
【補正方法】変更
【補正の内容】
【００２８】
本発明の手段２１の遊技機は、手段１７〜手段２０のいずれかに記載の遊技機であって、
前記遊技領域（７）を流下する遊技媒体（遊技球）が入賞可能な入賞口（入賞口２９ａ〜２９ｄ）と、該入賞口に入賞した遊技媒体を誘導する誘導通路（通路部２９０ｂにて構成される誘導通路２９１）と、を有する入賞装置（普通入賞装置２９０）を備え、
前記合成樹脂板（盤面板２００）および前記導光板（導光板ユニット７００、導光板７０１）には、前記誘導通路が挿入可能な開口（盤面板２００の開口２０６ａ〜２０６ｄおよび導光板７０１の開口７０９ａ〜７０９ｄ）が互いに対向する位置にそれぞれ形成されている（図１６参照）
ことを特徴としている。
この特徴によれば、合成樹脂板の後面側に導光板を配設することにより、合成樹脂板および導光板双方の開口に誘導通路を挿入可能となることで、入賞口に入賞した遊技媒体を導光板の後面側まで誘導することができ、これにより導光板の前面側を通過させずに遊技媒体を回収することが可能となるため、反射部の配置自由度が誘導通路により制限されることを防止できる。
【手続補正３０】
【補正対象書類名】明細書
【補正対象項目名】００２９
【補正方法】変更
【補正の内容】
【００２９】
本発明の手段２２の遊技機は、手段１〜手段２１のいずれかに記載の遊技機であって、
前記合成樹脂板（盤面板２００）と、
透光性を有し（透明なアクリル樹脂板）、前記合成樹脂板の後面（背面）側に配設される導光板（導光板ユニット７００、導光板７０１）と、
前記導光板の端面（周端面７０１Ｅ，開口端面７０１Ｎ）に光を入射可能に設けられる端面用発光体（第１導光板ＬＥＤ６０ａ〜６０ｔ、第２導光板ＬＥＤ６１ａ〜６１ｆ、センター枠飾りＬＥＤ６２ａ〜６２ｄ）と、を備え、
前記導光板は、該導光板の端面から内部に入射された前記端面用発光体からの光を反射して前面から出射させる反射部（ＭＡ１〜２０、ＭＢ１〜６、ＭＣ１〜４）を有し、
前記導光板は、前記合成樹脂板に対し所定幅寸法の隙間（Ｓ１）を隔てて設けられている（図１８参照）
ことを特徴としている。
この特徴によれば、合成樹脂板とは別個に設けた導光板により遊技領域を後面側から光により装飾できるとともに、合成樹脂板と導光板との間に所定幅寸法の隙間が形成されることで、例えば合成樹脂板および導光板の運搬時、積層時、組付時あるいは使用時において遊技領域を遊技媒体が流下することにより生じる振動等により双方が擦れて傷がつくことが防止される。
【手続補正３１】
【補正対象書類名】明細書
【補正対象項目名】００３０
【補正方法】変更
【補正の内容】
【００３０】
本発明の手段２３の遊技機は、手段２２に記載の遊技機であって、
前記合成樹脂板（盤面板２００）の後面（背面２００ｂ）または導光板（導光板ユニット７００、導光板７０１）の前面（７０１Ｆ）のうち少なくとも一方に、所定長さを有する隙間用突起（第１ボス７１０ａ〜７１０ｆ、第２ボス７１１ａ〜７１１ｄ、第３ボス７１２ａ〜７１２ｄおよび位置決め突起７１３ａ〜７１３ｄの段部７１４）を設けた
ことを特徴としている。
この特徴によれば、合成樹脂板と導光板との間に所定幅寸法の隙間を簡単に確保することができるばかりか、合成樹脂板と導光板との組み付け時において合成樹脂板と導光板とが接触して傷がつくことが防止される。
【手続補正３２】
【補正対象書類名】明細書
【補正対象項目名】００３１
【補正方法】変更
【補正の内容】
【００３１】
本発明の手段２４の遊技機は、手段２３に記載の遊技機であって、
前記導光板（導光板ユニット７００、導光板７０１）には表示用開口部（開口７０５）が形成され、
前記隙間用突起（第１ボス７１０ａ〜７１０ｆ、第２ボス７１１ａ〜７１１ｄ、第３ボス７１２ａ〜７１２ｄおよび位置決め突起７１３ａ〜７１３ｄの段部７１４）は、前記表示用開口部の周縁部に対応する位置に設けられている（図２０参照）
ことを特徴としている。
この特徴によれば、導光板において撓みが生じやすい表示用開口部の周縁部が隙間用突起にて支持されるため、合成樹脂板と導光板との組み付け時において撓みにより前後面が接触して傷がつくことが防止される。